(57)【特許請求の範囲】
【請求項１】
地上デジタル放送信号を受信する情報受信装置において、
前記地上デジタル放送信号を受信する受信手段と、
受信された前記地上デジタル放送信号をAGC(auto gain control)フィードバック信号に従って増幅する増幅手段と、
受信された前記地上デジタル放送信号に対して波形等化処理を行う波形等化手段と、
前記波形等化処理に用いられる等化係数から前記地上デジタル放送信号のマルチパス成分の強度を演算するとともに、前記AGCフィードバック信号を流用して前記地上デジタル放送信号の信号強度を演算する演算手段と、
前記演算手段が演算した前記地上デジタル放送信号のマルチパス成分の強度、および前記地上デジタル放送波の信号強度を同時に表示させる表示制御手段と
を備えることを特徴とする情報受信装置。
【請求項２】
受信された前記地上デジタル放送信号の誤り訂正を行う誤り訂正手段をさらに備え、
前記演算手段は、前記誤り訂正手段から供給される前記地上デジタル放送信号の有効成分と誤り成分の数に基づき、前記地上デジタル放送信号の誤り率も演算し、
前記表示制御手段は、前記演算手段が演算した前記地上デジタル放送信号のマルチパス成分の強度、前記地上デジタル放送波の信号強度、および前記地上デジタル放送信号の誤り率を同時に表示させる
ことを特徴とする請求項１に記載の情報受信装置。
【請求項３】
地上デジタル放送信号を受信する情報受信装置の情報受信方法において、
前記地上デジタル放送信号を受信する受信ステップと、
受信された前記地上デジタル放送信号をAGC(auto gain control)フィードバック信号に従って増幅する増幅ステップと、
受信された前記地上デジタル放送信号に対して波形等化処理を行う波形等化ステップと、
前記波形等化処理に用いられる等化係数から前記地上デジタル放送信号のマルチパス成分の強度を演算するとともに、前記AGCフィードバック信号を流用して前記地上デジタル放送信号の信号強度を演算する演算ステップと、
前記演算ステップの処理で演算した前記地上デジタル放送信号のマルチパス成分の強度、および前記地上デジタル放送波の信号強度を同時に表示させる表示制御ステップと
を含むことを特徴とする情報受信方法。
【請求項４】
受信された前記地上デジタル放送信号の誤り訂正を行う誤り訂正ステップをさらに含み、
前記演算ステップは、前記誤り訂正ステップの処理から供給される前記地上デジタル放送信号の有効成分と誤り成分の数に基づき、前記地上デジタル放送信号の誤り率も演算し、
前記表示制御ステップは、前記演算ステップの処理が演算した前記地上デジタル放送信号のマルチパス成分の強度、前記地上デジタル放送波の信号強度、および前記地上デジタル放送信号の誤り率を同時に表示させる
ことを特徴とする請求項３に記載の情報受信方法。
【請求項５】
地上デジタル放送信号を受信する情報受信装置の制御用のプログラムであって、
前記地上デジタル放送信号を受信する受信ステップと、
受信された前記地上デジタル放送信号をAGC(auto gain control)フィードバック信号に従って増幅する増幅ステップと、
受信された前記地上デジタル放送信号に対して波形等化処理を行う波形等化ステップと、
前記波形等化処理に用いられる等化係数から前記地上デジタル放送信号のマルチパス成分の強度を演算するとともに、前記AGCフィードバック信号を流用して前記地上デジタル放送信号の信号強度を演算する演算ステップと、
前記演算ステップの処理で演算した前記地上デジタル放送信号のマルチパス成分の強度、および前記地上デジタル放送波の信号強度を同時に表示させる表示制御ステップと
を含む処理を情報受信装置のコンピュータに実行させるプログラムが記録されていることを特徴とする記録媒体。
【発明の詳細な説明】
【０００１】
【発明の属する技術分野】
本発明は、情報受信装置および方法、並びに記録媒体に関し、特に、地上波を用いた情報伝送におけるマルチパスの程度を表示するようにした情報受信装置および方法、並びに記録媒体に関する。
【０００２】
【従来の技術】
テレビ放送においては、既に衛星を介したデジタル多チャンネル放送（以下、衛星デジタル放送と記述する）が実現されており、今後、地上波放送のデジタル化（以下、地上デジタル放送と記述する）が実現されようとしている。デジタル放送の利点としては、情報圧縮技術による多チャンネル化や、情報の誤り訂正機能が挙げられる。
【０００３】
衛星デジタル放送の伝送路においてデジタル波の伝送に障害を及ぼすものは、例えば、雲、雨、および雪等の気象現象が主であり、その影響は予め予測できる。したがって、受信機には、これらの障害に対する対策が施されている。また、アンテナを設置する場合は、信号のレベルとＣ／Ｎ(Carrier/Noise)比を調べ、Ｃ／Ｎ比が最大となるように設置すればよく、受信機には、信号のレベルとＣ／Ｎ比を測定する機能が備えられている。
【０００４】
一方、地上デジタル放送の伝送路においては、地形や建物等がデジタル波の伝送に大きな障害を及ぼす。特に、マルチパスは、衛星を介して情報が伝送される衛星デジタル放送においては存在しなかった障害である。
【０００５】
ところで、マルチパスは、従来の地上アナログ放送においても存在する障害であり、その影響（ゴースト）はアンテナの方向に対応して徐々に変化するので、テレビジョン受像機の映像を見ながらアンテナを移動し、最もマルチパスの影響の少ない方向にアンテナを設置することにより対処されていた。
【０００６】
【発明が解決しようとする課題】
しかしながら、地上デジタル放送におけるマルチパスの影響は、デジタル信号を用いた利点である誤り訂正機能により、アンテナが最適な方向から若干ずれて設置されていたとしても除去（訂正）される。したがって、上述した地上アナログ放送に対して行ったように、テレビジョン受像機の映像を見ながらゴーストの発生が最も少ない方向を判定する方法を用いることができず、最も適切なアンテナの方向を判断することができない課題があった。
【０００７】
本発明はこのような状況に鑑みてなされたものであり、マルチパスを視覚的に表示することにより、最も適切なアンテナの方向を判定できるようにするものである。
【０００８】
【課題を解決するための手段】
本発明の情報受信装置は、地上デジタル放送信号を受信する受信手段と、受信された地上デジタル放送信号をAGCフィードバック信号に従って増幅する増幅手段と、受信された地上デジタル放送信号に対して波形等化処理を行う波形等化手段と、波形等化処理に用いられる等化係数から地上デジタル放送信号のマルチパス成分の強度を演算するとともに、AGCフィードバック信号を流用して地上デジタル放送信号の信号強度を演算する演算手段と、演算手段が演算した地上デジタル放送信号のマルチパス成分の強度、および地上デジタル放送波の信号強度を同時に表示させる表示制御手段とを備えることを特徴とする。
【０００９】
本発明の情報受信方法は、地上デジタル放送信号を受信する受信ステップと、受信された地上デジタル放送信号をAGCフィードバック信号に従って増幅する増幅ステップと、受信された地上デジタル放送信号に対して波形等化処理を行う波形等化ステップと、波形等化処理に用いられる等化係数から地上デジタル放送信号のマルチパス成分の強度を演算するとともに、AGCフィードバック信号を流用して地上デジタル放送信号の信号強度を演算する演算ステップと、演算ステップの処理で演算した地上デジタル放送信号のマルチパス成分の強度、および地上デジタル放送波の信号強度を同時に表示させる表示制御ステップとを含むことを特徴とする。
【００１０】
本発明の記録媒体は、地上デジタル放送信号を受信する受信ステップと、受信された地上デジタル放送信号をAGCフィードバック信号に従って増幅する増幅ステップと、受信された地上デジタル放送信号に対して波形等化処理を行う波形等化ステップと、波形等化処理に用いられる等化係数から地上デジタル放送信号のマルチパス成分の強度を演算するとともに、AGCフィードバック信号を流用して地上デジタル放送信号の信号強度を演算する演算ステップと、演算ステップの処理で演算した地上デジタル放送信号のマルチパス成分の強度、および地上デジタル放送波の信号強度を同時に表示させる表示制御ステップとを含む処理を情報受信装置のコンピュータに実行させるプログラムが記録されていることを特徴とする。
【００１１】
本発明において、地上デジタル放送信号が受信され、受信された地上デジタル放送信号がAGCフィードバック信号に従って増幅される。また、受信された地上デジタル放送信号に対して波形等化処理が行われる。また、波形等化処理に用いられる等化係数から地上デジタル放送信号のマルチパス成分の強度が演算されるとともに、AGCフィードバック信号が流用されて地上デジタル放送信号の信号強度が演算される。そして、演算された地上デジタル放送信号のマルチパス成分の強度、および地上デジタル放送波の信号強度が同時に表示される。
【００１３】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。
【００１４】
すなわち、本発明の情報処理装置は、地上デジタル放送信号を受信する受信手段（例えば、図１のアンテナ１）と、受信された地上デジタル放送信号をAGCフィードバック信号に従って増幅する増幅手段（例えば、図３の高周波増幅部２１）と、受信された地上デジタル放送信号に対して波形等化処理を行う波形等化手段（例えば、図３の波形等化部２７）と、波形等化処理に用いられる等化係数から地上デジタル放送信号のマルチパス成分の強度を演算するとともに、AGCフィードバック信号を流用して地上デジタル放送信号の信号強度を演算する演算手段（例えば、図３の演算部２９）と、演算手段が演算した地上デジタル放送信号のマルチパス成分の強度、および地上デジタル放送波の信号強度を同時に表示させる表示制御手段（例えば、図３の表示制御部３０）とを備えることを特徴とする。
【００１６】
但し勿論この記載は、各手段を記載したものに限定することを意味するものではない。
【００１７】
本発明を適用した地上デジタル放送受信装置の構成について、図１を参照して説明する。アンテナ１は、放送局から残留側波帯(VSB:Vestigial SideBand)伝送方式により伝送された信号を高周波信号（アナログ信号）として受信し、デモジュレータ２に出力するようになされている。
【００１８】
ここで、VSB伝送方式について図２を参照して説明する。図２(A)に示すような信号（原信号）を振幅変調（ＡＭ変調）した周波数スペクトラムは、図２(B)に示すように、搬送波周波数（ｆC）を中心として、原信号のスペクトラムが両方の側波帯に保存される。これをそのまま伝送する方式が、両側波帯（DSB:Double SideBand）伝送である。また、図２(C)に示すように、上側波帯あるいは下側波帯のいずれか一方を伝送する方式が、単側波帯（SSB:Single SideBand）伝送である。しかしながら、実際には、SSB伝送における上側波帯あるいは下側波帯のどちらか一方だけを正確に除去する帯域通過フィルタは実現が難しい。そこで、このフィルタの遮断周波数特性を穏やかにして、図２(D)に示すように、消去する側波帯のスペクトラムを少し残留させて伝送する方式がVSB伝送である。このVSB伝送については、日経エレクトロニクスNo.６１０の第７６頁乃至第８１頁にも紹介されている。
【００１９】
デモジュレータ２の詳細な構成について、図３を参照して説明する。高周波増幅部２１は、アンテナ１から入力された高周波信号を、AGCフィードバック信号（後述）に対応して増幅し、周波数変換部２２に出力するようになされている。周波数変換部２２は、入力された高周波信号を中間周波数（４４メガヘルツ）に変換して、SAWフィルタ２３に出力するようになされている。
【００２０】
SAWフィルタ２３は、入力された中間周波数信号から所定のチャンネル成分（帯域幅６メガヘルツ）を抽出して、中間周波数増幅部２４に出力するようになされている。中間周波数増幅部２４は、入力された中間周波数信号を、AGCフィードバック信号に基づいて増幅するようになされている。Ａ／Ｄ変換部２５は、アナログ信号である中間周波数信号をデジタル信号に変換して復調部２６に出力するとともに、AGCフィードバック信号を生成し、高周波数増幅部２１、中間周波数増幅部２４、および演算部２９に出力するようになされている。
【００２１】
復調部２６は、入力された信号をVSB復調して波形等化部２７に出力するようになされている。波形等化部２７は、ラーニング等化、ブラインド等化などの等化法を用い、入力された信号からマルチパスに起因して発生したゴーストを除去し、誤り訂正部２８に出力するとともに、等化の際に使用したフィルタタップ係数値（等化用係数情報）を演算部２９に出力するようになされている。なお、フィルタタップ係数値は、ゴーストの発生が大きい程、その値が大きくなる。
【００２２】
誤り訂正部２８は、入力された信号をリードソロモン符号、およびトレリス符号を用いて誤り訂正を行い、ＴＳ(Transport Stream)信号としてデマルチプレクサ３に出力するとともに、入力された信号の有効成分と誤り成分の数を演算部２９に出力するようになされている。
【００２３】
演算部２９は、Ａ／Ｄ変換部２５から入力されたAGCフィードバック信号からアンテナ１に入力された信号の強度（アンテナレベル）を演算し、波形等化部２７から入力されたフィルタタップ係数値からマルチパス値（マルチパスの程度を示す値）を演算し、さらに、誤り訂正部２８から入力された誤り率情報（信号の有効成分と誤り成分の数）からＣ／Ｎ比を演算して、それぞれの結果を表示制御部３０に出力するようになされている。
【００２４】
表示制御部３０は、演算部２９から入力された演算結果に基づいて、図４に示すような受信状態を示す画像信号を生成して、ディスプレイ７に出力するようになされている。
【００２５】
デマルチプレクサ３は、デモジュレータ２から入力されたＴＳ信号をビデオ信号とオーディオ信号に分離して、ビデオ信号をビデオデコーダ４に出力し、オーディオ信号をオーディオデコーダ６に出力するようになされている。
【００２６】
ビデオデコーダ４は、入力されたビデオ信号を復号してディスプレイプロセッサ５に出力する。ディスプレイプロセッサ５は、入力されたビデオ信号から画像信号を生成してディスプレイ７に出力するようになされている。ディスプレイ７は、入力された画像信号に基づいて画像を表示するようになされている。
【００２７】
オーディオデコーダ６は、入力されたオーディオ信号を復号し、スピーカ（図示せず）に出力するようになされている。
【００２８】
次に、この地上デジタル放送受信装置の受信状態表示処理について、図５のフローチャートを参照して説明する。
【００２９】
ステップＳ１において、アンテナ１は、放送局からVSB伝送方式により伝送された信号を高周波信号（アナログ信号）として受信し、デモジュレータ２に出力する。デモジュレータ２の高周波増幅部２１は、アンテナ１から入力された高周波信号を、AGCフィードバック信号に対応して増幅し、周波数変換部２２に出力する。周波数変換部２２は、入力された高周波信号を中間周波数（４４メガヘルツ）に変換して、SAWフィルタ２３に出力する。SAWフィルタ２３は、入力された中間周波数信号からユーザにより指定された所定のチャンネル成分（帯域幅６メガヘルツ）を抽出して中間周波数増幅部２４に出力する。中間周波数増幅部２４は、入力された中間周波数信号を、AGCフィードバック信号に対応して増幅する。
【００３０】
ステップＳ２において、Ａ／Ｄ変換部２５は、アナログ信号である中間周波数信号をデジタル信号に変換して復調部２６に出力するとともに、AGCフィードバック信号を生成し、高周波数増幅部２１、中間周波数増幅部２４、および演算部２９に出力する。復調部２６は、入力された信号をVSB復調して波形等化部２７に出力する。
【００３１】
ステップＳ３において、波形等化部２７は、入力された信号からマルチパスに起因して発生したゴーストを除去し、誤り訂正部２８に出力するとともに、等化の際に使用したフィルタタップ係数値を演算部２９に出力する。このとき、入力された信号にゴーストが多い場合にはラーニング等化が用いられ、ゴーストが少ない場合にはブラインド等化が用いられる。
【００３２】
ステップＳ４において、誤り訂正部２８は、入力された信号をリードソロモン符号、およびトレリス符号を用いて誤り訂正を行い、ＴＳ信号としてデマルチプレクサ３に出力するとともに、入力された信号の誤り成分の数（誤り率情報）を演算部２９に出力する。
【００３３】
ステップＳ５において、演算部２９は、Ａ／Ｄ変換部２５から入力されたAGCフィードバック信号からアンテナ１に入力された信号の強度（アンテナレベル）を演算し、波形等化部２７から入力されたフィルタタップ係数値からマルチパス値（マルチパスの程度を示す値）を演算し、さらに、誤り訂正部２８から入力された誤り率情報（誤り成分の数）からＣ／Ｎ比を演算して、それぞれの演算結果、および予め設定されたそれぞれの閾値を表示制御部３０に出力する。表示制御部３０は、演算部２９から入力された演算結果と閾値に基づいて、受信状態を示す画像を生成してディスプレイ７に出力する。
【００３４】
ステップＳ６において、ディスプレイ７は、入力された受信状態を示す画像（図４に示すような画像）を表示する。
【００３５】
このようにして、地上デジタル放送の受信状態（アンテナレベル、マルチパス、およびＣ／Ｎ比）をグラフとして表示することにより、最適なアンテナの設置方向を知ることができる。
【００３６】
また、ディスプレイ７に表示された画質や音質が悪いので修理を行う場合、表示された受信状態を参照することにより、その原因が電波の受信状態にあるのか、あるいは装置にあるのかが判るのでメンテナンスに有利となる。
【００３７】
なお、本発明は従来の地上アナログ放送等の地上を伝送路とする情報の伝送に適用することができる。
【００３８】
上記各処理を行うコンピュータプログラムは、磁気ディスク、CD-ROM等の情報記録媒体よりなる提供媒体のほか、インターネット、デジタル衛星などのネットワーク提供媒体を介してユーザに提供することができる。
【００３９】
【発明の効果】
以上のように、本発明によれば、最も適切なアンテナの方向を判定することが可能となる。
【図面の簡単な説明】
【図１】地上デジタル放送受信装置の構成を説明するブロック図である。
【図２】  VSB伝送方式を説明する図である。
【図３】図１のデモジュレータ２を説明するブロック図である。
【図４】受信状態を示す図である。
【図５】地上デジタル放送受信装置の受信状態表示処理を説明するフローチャートである。
【符号の説明】
１  アンテナ，  ２  デモジュレータ，  ３  デマルチプレクサ，  ４  ビデオデコーダ，  ５  ディスプレイプロセッサ，  ６  オーディオデコーダ，  ７ディスプレイ，  ２１  高周波増幅部，  ２２  周波数変換部，  ２３  SAWフィルタ，  ２４  中間周波数増幅部，  ２５  Ａ／Ｄ変換部，  ２６  復調部，  ２７  波形等化部，  ２８  誤り訂正部，  ２９  演算部，  ３０  表示制御部
【図１】
0004587340.tif 000002
【図２】
0004587340.tif 000003
【図３】
0004587340.tif 000004
【図４】
0004587340.tif 000005
【図５】
0004587340.tif 000006